(57)【要約】      （修正有）【課題】ダスト仕切り板を有することでゴミ及びダストの飛散を防止する斜面及び仕切り板を有するネイルダストコレクターを提供する。【解決手段】斜面部１１と給気口１２と排気口１３とを有し、給気口が斜面部に開口して設けられ、排気口が底部に開口して設けられるハウジング１０と、斜面部に設けられるダスト仕切り板２０と、ハウジングの内部に設けられ、給気口に近接するフィルタ３０と、ハウジングの内部に設けられており、気体を給気口、フィルタ、及びハウジングの内部へ順番に案内して排気口から外へ排出するための気体案内装置４０とを備える斜面及び仕切り板を有する。ダスト仕切り板及び斜面部の設置により、ゴミ及びダストの飛散を防止するうえに、排気口が開口して設けられる位置により、気体が排気口から排出される際に被施術者側にまで吹きつけることを防止し、被施術者の心地よさを高める。【選択図】図２
0003232600.tif 000002
【実用新案登録請求の範囲】
【請求項１】
給気口と斜面部と排気口とを有し、前記給気口が前記斜面部に開口して設けられ、前記排気口が底部に開口して設けられるハウジングと、
前記斜面部に設けられるダスト仕切り板と、
前記ハウジングの内部に設けられ、前記給気口に近接するフィルタと、
前記ハウジングの内部に設けられており、気体を前記給気口、前記フィルタ、及び前記ハウジングの内部へ順番に案内して前記排気口から外へ排出するための気体案内装置と、を備えることを特徴とする、斜面及び仕切り板を有するネイルダストコレクター。
【請求項２】
前記ダスト仕切り板は、全体又は一部が透明であることを特徴とする、請求項１に記載の斜面及び仕切り板を有するネイルダストコレクター。
【請求項３】
前記ダスト仕切り板は、前記斜面部の高いほうの端に位置することを特徴とする、請求項１に記載の斜面及び仕切り板を有するネイルダストコレクター。
【請求項４】
前記ハウジングは、上部ハウジングと本体とを有し、前記上部ハウジングは、前記本体と互いに結合するとともに第１のチャンバを構成し、前記斜面部は、前記上部ハウジングに設けられ、前記フィルタは、前記第１のチャンバに設けられることを特徴とする、請求項１に記載の斜面及び仕切り板を有するネイルダストコレクター。
【請求項５】
前記ハウジングは、本体と下部ハウジングとを有し、前記本体は、前記下部ハウジングと互いに結合するとともに第２のチャンバを構成し、前記気体案内装置は、前記第２のチャンバに設けられ、前記排気口は、前記下部ハウジングに開口して設けられることを特徴とする、請求項１に記載の斜面及び仕切り板を有するネイルダストコレクター。
【請求項６】
前記ハウジングは、少なくとも１つの通気口を更に有し、前記少なくとも１つの通気口は、前記本体に開口して設けられることを特徴とする、請求項４又は５に記載の斜面及び仕切り板を有するネイルダストコレクター。
【請求項７】
回路板と電源ユニットとスイッチとを有する制御モジュールを更に備え、
前記回路板は、前記ハウジング内に設けられ、前記気体案内装置に電気的に接続され、
前記電源ユニットは、前記ハウジング内に設けられており、前記回路板に選択的に電気的に接続されるためのものであり、
前記スイッチは、前記ハウジングの外面に設けられ、前記回路板に電気的に接続され、
前記スイッチをオンにすると、前記電源ユニットと前記回路板は導通状態になり、前記電源ユニットは前記回路板への給電が可能になることで、前記気体案内装置を起動し、
前記スイッチをオフにすると、前記電源ユニットと前記回路板は断線状態になり、前記電源ユニットは前記回路板への給電が停止になることで、前記気体案内装置をオフにすることを特徴とする、請求項１に記載の斜面及び仕切り板を有するネイルダストコレクター。
【請求項８】
前記電源ユニットは、少なくとも１つの電池と電源入力端子とを有し、
前記少なくとも１つの電池は、前記ハウジング内に設けられ、前記回路板に選択的に電気的に接続され、
前記電源入力端子は、前記ハウジングの外面に設けられ、前記回路板に選択的に電気的に接続されており、電源コードの差込部を挿設させるためのものであることを特徴とする、請求項７に記載の斜面及び仕切り板を有するネイルダストコレクター。
【請求項９】
前記制御モジュールは、流速調整部材を有し、
前記流速調整部材は、前記ハウジングの外面に設けられ、前記回路板に電気的に接続されており、前記気体案内装置の回転速度を調整することで前記気体の流速を制御するためのものであることを特徴とする、請求項７に記載の斜面及び仕切り板を有するネイルダストコレクター。
【請求項１０】
前記ハウジングの外側には、把持溝が凹設され、前記把持溝は使用者の手に把持されるためのものであることを特徴とする、請求項１に記載の斜面及び仕切り板を有するネイルダストコレクター。
【考案の詳細な説明】
【技術分野】
【０００１】
本考案は、ダストコレクターに関し、特にゴミ及びダストを収集するためのもので、斜面及びダスト仕切り板を有することでゴミ及びダストの飛散を防止する斜面及び仕切り板を有するネイルダストコレクターに関する。
【背景技術】
【０００２】
ダストコレクターはゴミ及びダストを収集するための機器であり、ネイルケア又はネイルアートの分野に広く用いられている。
【０００３】
爪の表面をより平滑、又は爪の表面にある硬化したジェルを除去するために、通常は爪に磨きをかけ、爪切り、やすり、はさみ、ブラシ、ネイルマシンなどのネイルツールで爪を切り又は削る。爪の表面がある程度滑らかになり、又は硬化したジェルが完全に除去されると、使用者はネイルアートを一層精巧に仕上げることができるようになる。また、ネイルアートが完成すると、使用者はネイルマシンを用いて爪に対して細部の調整をも行う。
【０００４】
しかしながら、爪を磨く過程で、爪の上にゴミ及びダストが生じ、一部がはらりと落ちたり、飛散したりすることから、机の上や室内の他のエリアに数多のゴミ及びダストが蓄積されるようになり、周辺環境が汚れてしまい、使用者の呼吸器の健康に影響を与えるとともに、粉塵爆破又は火災などのリスクも存在する。
【０００５】
そんな中、従来の集塵装置には、平面式のものが多く、爪を磨く際に飛散したゴミ及びダストを内部に効率的に吸い込むことができず、集塵効率は５０％しかなく、残りの５０％のゴミ及びダストが飛散し、一部は使用者の体にまで飛散してしまい、使用者に不快感を与える。
【０００６】
また、従来の集塵装置の排気口は、ハウジングの底部又は両側に開口して設けられるものが多いため、吸い込まれた気体が排気口から排出される際に、気体が机の上に吹き出して机の上のペーパーが気体で吹き飛ばされることになる。そのうえ、机の上にあるゴミ及びダストも同様に気体に吹き飛ばされるため、使用者に不快感を与える。
【考案の概要】
【考案が解決しようとする課題】
【０００７】
本考案の主な目的は、ダスト仕切り板を有することでゴミ及びダストの飛散を防止可能な斜面及び仕切り板を有するネイルダストコレクターを提供することである。
【０００８】
本考案の他の目的は、気体が排気口から排出される際に直接顧客に吹き付けることを防止可能な斜面及び仕切り板を有するネイルダストコレクターを提供することである。
【０００９】
本考案の他の目的は、伸縮自在かつ可撓の蛇腹ホースを有する集塵装置を提供することであり、同装置は、被施術者の手のひらを載せるための斜面部を有することで、爪を磨く際にはらりと落ちる又は飛散したゴミ及びダストが重力によって斜面部の低いほうの端へ落下し、ゴミ及びダストが随所に飛散する確率を大幅に低減する。
【課題を解決するための手段】
【００１０】
前記目的を達成するために、本考案は、ハウジングと、ダスト仕切り板と、フィルタと、気体案内装置と、を備える斜面及び仕切り板を有するネイルダストコレクターを提供するものである。
【００１１】
ハウジングは、斜面部と給気口と排気口とを有し、斜面部は、ハウジングの天部に設けられ、給気口は、斜面部に開口して設けられ、排気口は、ハウジングの底部に開口して設けられる。
【００１２】
ダスト仕切り板は、斜面部に設けられる。
【００１３】
フィルタは、ハウジングの内部に設けられ、給気口に近接する。
【００１４】
気体案内装置は、ハウジングの内部に設けられており、気体を給気口、フィルタ、及びハウジングの内部に順番に案内して排気口から外へ排出するためのものである。
【００１５】
本考案の一実施例において、ダスト仕切り板は、全体又は一部が透明である。
【００１６】
本考案の一実施例において、ダスト仕切り板は、斜面部の高いほうの端に位置する。
【００１７】
本考案の一実施例において、ハウジングは、上部ハウジングと本体とを有し、上部ハウジングは、本体と互いに結合するとともに第１のチャンバを構成し、斜面部は、上部ハウジングに設けられ、フィルタは、第１のチャンバに設けられる。
【００１８】
本考案の一実施例において、ハウジングは、本体と下部ハウジングとを有し、本体は、下部ハウジングと互いに結合するとともに第２のチャンバを構成し、気体案内装置は、第２のチャンバに設けられ、排気口は、下部ハウジングに開口して設けられる。
【００１９】
本考案の一実施例において、ハウジングは、少なくとも１つの通気口を更に有し、少なくとも１つの通気口は、本体に開口して設けられる。
【００２０】
本考案の一実施例において、斜面及び仕切り板を有するネイルダストコレクターは、回路板と電源ユニットとスイッチとを有する制御モジュールを更に備え、回路板は、ハウジング内に設けられ、気体案内装置に電気的に接続され、電源ユニットは、ハウジング内に設けられており、回路板に選択的に電気的に接続されるためのものであり、スイッチは、ハウジングの外面に設けられ、回路板に電気的に接続され、スイッチをオンにすると、電源ユニットと回路板は導通状態になり、電源ユニットは回路板への給電が可能になることで、気体案内装置を起動し、スイッチをオフにすると、電源ユニットと回路板は断線状態になり、電源ユニットは回路板への給電が停止になることで、気体案内装置をオフにする。
【００２１】
本考案の一実施例において、電源ユニットは、少なくとも１つの電池と電源入力端子とを有し、少なくとも１つの電池は、ハウジング内に設けられ、回路板に選択的に電気的に接続され、電源入力端子は、ハウジングの外面に設けられ、回路板に選択的に電気的に接続されており、電源コードの差込部を挿設させるためのものである。
【００２２】
本考案の一実施例において、制御モジュールは、流速調整部材を有し、流速調整部材は、ハウジングの外面に設けられ、回路板に電気的に接続されており、気体案内装置の回転速度を調整することで気体の流速を制御するためのものである。
【００２３】
本考案の一実施例において、ハウジングの外側には、把持溝が凹設されるが、把持溝は、使用者の手に把持されるためのものである。
【考案の効果】
【００２４】
本考案の奏する効果は、ダスト仕切り板の設置により、はらりと落ちる又は飛散するゴミ及びダストが使用者の体に飛ばされて使用者に不快感を与えることを防止することができる。このうち、ダスト仕切り板は全体又は一部が透明であるため、使用者は透明のダスト仕切り板を介して手を直接視認可能であるとともに、作業が影響されず爪磨きを続行することができる。
【００２５】
また、本考案は、斜面部の構造により被施術者の手のひらを快適に載せるうえに、給気口が斜面部に開口して設けられることで、爪を磨く際にはらりと落ち又は飛散するゴミ及びダストを吸い込み、ゴミ及びダストが随所に飛散する確率を大幅に低減することができる。
【００２６】
更に、本考案は、排気口が開口して設けられる位置により、気体が排気口から排出される際に被施術者に吹き付けたり、気体が机の上に吹き出したりすることを防止可能であることから、机の上のペーパーが気体で吹き飛ばされなくなる。そのうえ、机の上にあるゴミ及びダストも同様に気体に吹き飛ばされなくなるため、使用者の心地よさを高めることができる。
【図面の簡単な説明】
【００２７】
【図１】本考案の好適の実施例に係る斜面及び仕切り板を有するネイルダストコレクターの組立斜視図である。
【図２】本考案の好適の実施例に係る斜面及び仕切り板を有するネイルダストコレクターの分解斜視図である。
【図３】本考案の好適の実施例に係る斜面及び仕切り板を有するネイルダストコレクターの側面図である。
【図４】本考案の好適の実施例に係る斜面及び仕切り板を有するネイルダストコレクターの断面図である。
【図５】本考案の好適の実施例に係る斜面及び仕切り板を有するネイルダストコレクターの平面図である。
【図６】本考案の好適の実施例に係る斜面及び仕切り板を有するネイルダストコレクターの底面図である。
【図７】本考案の好適の実施例に係る斜面及び仕切り板を有するネイルダストコレクターの背面斜視図である。
【図８】本考案の好適の実施例に係る斜面及び仕切り板を有するネイルダストコレクターの動作を示す図である。
【図９】本考案の好適の実施例に係る斜面及び仕切り板を有するネイルダストコレクターの使用を示す図である。
【図１０】本考案の好適の実施例に係る斜面及び仕切り板を有するネイルダストコレクターの上部ハウジングを開けた状態を示す図である。
【図１１】本考案の好適の実施例に係る斜面及び仕切り板を有するネイルダストコレクターの他の背面斜視図である。
【図１２】本考案の好適の実施例に係る斜面及び仕切り板を有するネイルダストコレクターを持ち上げる状態を示す図である。
【考案を実施するための形態】
【００２８】
以下、図面と符号を参照しながら、本考案の好適な実施例について、当業者が明細書に照らして理解し実施できるよう詳しく説明する。
【００２９】
図１は、本考案の好適の実施例に係る斜面及び仕切り板を有するネイルダストコレクターの組立斜視図であり、図２は、本考案の好適の実施例に係る斜面及び仕切り板を有するネイルダストコレクターの分解斜視図である。図１及び２に示すように、本考案は、ハウジング１０と、ダスト仕切り板２０と、フィルタ３０と、気体案内装置４０と、を備える斜面及び仕切り板を有するネイルダストコレクターを提供するものである。以下、各要素に対して細かい解説を行う。
【００３０】
ハウジング１０は、斜面部１１と給気口１２と排気口１３とを有し、斜面部１１はハウジング１０の天部に設けられ、給気口１２は斜面部１１に開口して設けられ、排気口１３はハウジング１０の底部に開口して設けられる。具体的には、本考案の好適な実施例において、ハウジング１０は上部ハウジング１０１と本体１０２と下部ハウジング１０３とを有し、上部ハウジング１０１は本体１０２と互いに結合するとともに第１のチャンバ１４を構成し、斜面部１１は上部ハウジング１０１に設けられる。給気口１２は、上部ハウジング１０１に開口して設けられ、第１のチャンバ１４に互いに連通する。本体１０２は下部ハウジング１０３と互いに結合するとともに第２のチャンバ１５を構成し、排気口１３は、下部ハウジング１０３に開口して設けられ、第２のチャンバ１５に互いに連通する。
【００３１】
このうち、ハウジング１０は少なくとも１つの通気口１６を更に有する。具体的には、少なくとも１つの通気口１６は本体１０２に開口して設けられ、第１のチャンバ１４及び第２のチャンバ１５は通気口１６を介して互いに連通する。本考案の好適な実施例において、ハウジング１０は複数の通気口１６を有し、通気口１６は複数の同心環状であり、同心円のように並んでいる。しかしながら、通気口１６の形状及び配列はこれに限らず、ニーズに応じて変更することができる。
【００３２】
図３は、本考案の好適の実施例に係る斜面及び仕切り板を有するネイルダストコレクターの側面図であり、図４は、本考案の好適の実施例に係る斜面及び仕切り板を有するネイルダストコレクターの断面図である。図３及び４に示すように、本考案の好適な実施例において、斜面部１１は、上部ハウジング１０１に設けられており、表面と水平面との間に角が挟まれている。側面図を参照すると分かるように、斜面及び仕切り板を有するネイルダストコレクターは高いほうの第１の端１７と低いほうの第２の端１８とを有する。
【００３３】
図５は、本考案の好適の実施例に係る斜面及び仕切り板を有するネイルダストコレクターの平面図である。図５に示すように、本考案の好適な実施例において、上部ハウジング１０１には、複数の給気口１２が開口して設けられ、各給気口１２は多角形であるとともに寸法が互いに異なる。これらの給気口１２は、全体として矩形状に並んでいるものの、それらの形状及び配列はこれに限らず、ニーズに応じて形状を円形、弧形又は全て同一の寸法に変更してもよく、全体を円形又は他の所定の柄となるように並べてもよい。
【００３４】
図６は、本考案の好適の実施例に係る斜面及び仕切り板を有するネイルダストコレクターの底面図であり、図７は、本考案の好適の実施例に係る斜面及び仕切り板を有するネイルダストコレクターの背面斜視図である。図６及び７に示すように、本考案の好適な実施例において、排気口１３は下部のハウジング１０３に開口して設けられ、高いほうの第１の端１７に近接する。なお、排気口１３が高いほうの第１の端１７に近接に設けられることで、排出される気体が机の上９０の他の位置に吹き出して机の上９０の紙が気体に乱されたり、机の上９０にあるゴミ及びダストが気体に吹き飛ばされて飛散したりすることを防止できるため、使用者の心地よさを高める。
【００３５】
図１、２、及び３を参照されたい。ダスト仕切り板２０は斜面部１１に設けられる。具体的には、本考案の好適な実施例において、ダスト仕切り板２０は斜面部１１上に設けられ、高いほうの第１の端１７に位置する。好ましくは、ダスト仕切り板２０は全体又は一部が透明である。
【００３６】
フィルタ３０はハウジング１０の内部に設けられ、給気口１２に近接する。具体的には、フィルタ３０は第１のチャンバ１４に設けられており、給気口１２から入り込む気体を濾過するためのものである。本考案の好適な実施例において、フィルタ３０は濾過綿であり、その材質は粉塵や顆粒を濾過する効果を持つ合成繊維、不織布、ガラス繊維、活性炭などのいずれかのものである。しかしながら、フィルタ３０の構造はこれに限らず、ニーズに応じて濾過網又は他の粉塵や顆粒を濾過する効果を持つ構造に変更することができる。
【００３７】
気体案内装置４０は、ハウジング１０の内部に設けられており、気体を給気口１２、フィルタ３０、及びハウジング１０の内部の順番に案内して排気口１３から外へ排出するためのものである。具体的には、気体案内装置４０は第２のチャンバ１５に設けられる。本考案の好適な実施例において、気体案内装置４０はファンであり、気体を、上部ハウジング１０１の給気口１２、第１のチャンバ１４、フィルタ３０、及び本体１０２の通気口１６の順番に第２のチャンバ１５内に流入させ、排気口１３を介して外へ排出する。
【００３８】
図２及び７を参照されたい。本考案の好適な実施例において、斜面及び仕切り板を有するネイルダストコレクターは、回路板５１と電源ユニット５２とスイッチ５３とを有する制御モジュール５０を更に備える。回路板５１は、ハウジング１０内に設けられ、気体案内装置４０に電気的に接続される。電源ユニット５２は、ハウジング１０内に設けられており、回路板５１に選択的に電気的に接続されるためのものである。スイッチ５３は、ハウジング１０の外面に設けられ、回路板５１に電気的に接続される。具体的には、回路板５１と電源ユニット５２はそれぞれ第２のチャンバ１５に設けられ、スイッチ５３は下部ハウジング１０３の外面に設けられる。
【００３９】
図２及び７を参照されたい。本考案の好適な実施例において、電源ユニット５２は少なくとも１つの電池６０と電源入力端子６１とを有する。少なくとも１つの電池６０は、ハウジング内１０に設けられ、回路板５１に選択的に電気的に接続される。電源入力端子６１はハウジング１０の外面に設けられ、回路板５１に選択的に電気的に接続されており、電源コード（図示せず）の差込部（図示せず）を挿設させるためのものである。具体的には、本考案の好適な実施例において、電源ユニット５２は２つの電池６０を有し、２つの電池６０はそれぞれ第２のチャンバ１５に設けられ、電源入力端子６１は下部ハウジング１０３の外面に設けられる。
【００４０】
図７及び８を参照されたい。図８は、本考案の好適の実施例に係る斜面及び仕切り板を有するネイルダストコレクターの動作を示す図である。スイッチ５３をオンにすると、電源ユニット５２と回路板５１は導通状態になり、電源ユニット５２は回路板５１への給電が可能になることで、気体案内装置４０を起動する。気体案内装置４０は、気体を、上部ハウジング１０１の給気口１２、第１のチャンバ１４、フィルタ３０、及び本体１０２の通気口１６の順番に第２のチャンバ１５内に案内して排気口１３を介して外へ排出する。一方、スイッチ５３をオフにすると、電源ユニット５２と回路板５１は断線状態になり、電源ユニット５２は回路板５１への給電が停止になることで、気体案内装置４０をオフにする。
【００４１】
本考案の好適な実施例において、制御モジュール５０は流速調整部材７０を有し、流速調整部材７０は、ハウジング１０の外面に設けられ、回路板５１に電気的に接続されており、気体案内装置４０の回転速度を調整することで気体の流速を制御するためのものである。具体的には、流速調整部材７０はハウジング１０の外面に設けられ、斜面部１１の高いほうの第１の端１７に位置する。流速調整部材７０は、回路板５１に電気的に接続されており、気体案内装置４０の回転速度を調整することで気体の流速を制御するためのものである。
【００４２】
本考案の好適な実施例において、流速調整部材７０は複数のボタン７１を有し、これらのボタン７１を押すことで気体案内装置４０の回転速度を調整して気体の流速を制御する。好ましくは、流速調整部材７０は、低速、中速、高速を指すそれぞれの３つのボタン７１を有する。しかしながら、他の実施例において、流速調整部材７０は、複数の調整つまみ又はタッチパネルを有してもよく、これらの調整つまみを回す又はタッチパネルをタップすることで気体案内装置４０の回転速度を調整して気体の流速を制御する。
【００４３】
好ましくは、制御モジュール５０は電池残量表示部材５４を更に有する。電池残量表示部材５４は、ハウジング１０の外面に設けられ、斜面部１１の高いほうの第１の端１７に近接する。好ましくは、流速調整部材７０の近傍に位置する。電池残量表示部材５４は回路板５１に電気的に接続されており、これらの電池６０の残量を表示するためのものである。好ましくは、電池残量表示部材５４は２つの表示バー５５を有し、これらの表示バー５５の発する光を用いて前記電池６０の残量を表示する。例えば、電池６０の残量が満タンである場合、２つの表示バー５５は同時に発光する一方、電池６０の残量が半分になった場合、１つの表示バー５５しか発光しない。しかしながら、表示バー５５の数はこれに限らず、ニーズに応じてその数を増やすことができる。
【００４４】
図８及び９を参照されたい。図９は、本考案の好適の実施例に係る斜面及び仕切り板を有するネイルダストコレクターの使用を示す図である。使用の際に、使用者は、本考案に係る斜面及び仕切り板を有するネイルダストコレクターを机の上９０に置く。次に、斜面部１１の低いほうの第２の端１８を被施術者に向けつつ斜面部１１の高いほうの第１の端１７を自分に向けて、被施術者の手を上部ハウジング１０１の斜面部１１上に載せる。そして、使用者がスイッチ５３をオンにすると、電源ユニット５２と回路板５１は導通状態になり、電源ユニット５２は回路板５１への給電が可能になることで、気体案内装置４０を起動する。このようにして、使用者は、ネイルマシン９１によって被施術者の爪を磨くことができる。
【００４５】
爪を磨く過程で、爪からのゴミ及びダストは気体に乗って上部ハウジング１０１の給気口１２に順番に入って第１のチャンバ１４内に入り、第１のチャンバ１４内のフィルタ３０に阻まれてその表面に集中する。このようにして、ゴミ及びダストを収集する効果を奏する。なお、一部のゴミ及びダストは斜面部１１の高いほうの第１の端１７に向けて飛散するものの、ダスト仕切り板２０の設置により、ゴミ及びダストはダスト仕切り板２０に接触して戻され、気体に乗って給気口１２を介して第１のチャンバ１４内に入ることから、ゴミ及びダストを収集する効果を奏する。ダスト仕切り板２０の設置により、ゴミ及びダストが使用者の体にまで飛散することを防止する。
【００４６】
なお、本考案の好適な実施例において、ダスト仕切り板２０は透明のものであるため、使用者は被施術者の爪を磨く際に、磨く作業が邪魔されず透明のダスト仕切り板２０を介して磨き状況を視認可能である。
【００４７】
磨き終えて、使用者がスイッチ５３をオフにすると、前記電池６０又は電源入力端子６１は回路板５１と断線状態になり、前記電池６０又は電源入力端子６１の電源コードの組合せは回路板５１への給電が停止になることで気体案内装置４０をオフにする。このようにして、本考案の集塵装置はゴミ及びダストの収集を停止する。
【００４８】
その間、使用者は、上部ハウジング１０１の給気口１２を介してフィルタ３０におけるゴミ及びダストの蓄積状況を直接視認可能なため、フィルタ３０の洗浄又は交換のタイミングを把握可能で、本考案の斜面及び仕切り板を有するネイルダストコレクターを開けて確認する必要がない。
【００４９】
図１０は、本考案の好適の実施例に係る斜面及び仕切り板を有するネイルダストコレクターの上部ハウジング１０１を開けた状態を示す図である。図１０に示すように、使用者が上部ハウジング１０１の給気口１２を介して視認によりフィルタ３０の洗浄又は交換が必要と判断した場合、使用者は、上部ハウジング１０１を開けて、第１のチャンバ１４から汚れたフィルタ３０を取り出し、汚れたフィルタ３０を洗浄して第１のチャンバ１４内に戻すか、又は新しいフィルタ３０を第１のチャンバ１４内に設置して上部ハウジング１０１を本体１０２上に戻すことで、フィルタ３０の洗浄又は交換をすることができる。
【００５０】
図１１は、本考案の好適の実施例に係る斜面及び仕切り板を有するネイルダストコレクターの他の背面斜視図であり、図１２は、本考案の好適の実施例に係る斜面及び仕切り板を有するネイルダストコレクターを持ち上げる状態を示す図である。図１１及び１２に示すように、本考案の好適な実施例において、ハウジング１０の外側には把持溝８０が凹設されるが、把持溝８０は使用者の手に把持されるためのものである。具体的には、把持溝８０は下部ハウジング１０３に凹設され、高いほうの第１の端１７に近接する。
【００５１】
なお、本考案の好適な実施例において、排気口１３は下部ハウジング１０３に開口して設けられ、把持溝８０に互いに連通する。高いほうの第１の端１７は使用者に向けることから、気体が排気口１３から排出される際に、気体は直接に被施術者の体にまで吹き付ける
ことなく、被施術者の心地よさを高める。
【００５２】
以上のことから、本考案は、ダスト仕切り板２０の設置により、はらりと落ちる又は飛散するゴミ及びダストが使用者の体にまで飛散して使用者に不快感を与えることを防止することができる。このうち、ダスト仕切り板２０は全体又は一部が透明であるため、使用者は透明のダスト仕切り板２０を介して手を直接に視認可能であるとともに、作業が影響されず爪磨きを続行することができる。
【００５３】
また、本考案は、斜面部１１の構造により、被施術者の手のひらを快適に載せるうえに、給気口１２が斜面部１１に開口して設けられることで、爪を磨く際にはらりと落ちる又は飛散するゴミ及びダストを吸い込み、ゴミ及びダストが飛散する確率を大幅に低減することができる。
【００５４】
更に、本考案は、排気口１３が開口して設けられる位置により、気体が排気口１３から排出される際に直接被施術者に吹き付けたり、気体が机の上９０に吹き出したりすることを防止可能であることから、机の上９０のペーパーが気体で吹き飛ばされなくなる。そのうえ、机の上９０にあるゴミ及びダストも同様に気体に吹き飛ばされなくなるため、使用者の心地よさを高めることができる。
【００５５】
上記内容は本考案の好適な実施例を説明するものに過ぎず、本考案を形式的に制限しようとするものではないため、同一の考案精神の前提において、本考案に関する何れの種々の改良や変更は全て本考案の登録請求の範囲に含まれるべきである。
【符号の説明】
【００５６】
１０  ハウジング
１０１  上部ハウジング
１０２  本体
１０３  下部ハウジング
１１  斜面部
１２  給気口
１３  排気口
１４  第１のチャンバ
１５  第２のチャンバ
１６  通気口
１７  第１の端
１８  第２の端
２０  ダスト仕切り板
３０  フィルタ
４０  気体案内装置
５０  制御モジュール
５１  回路板
５２  電源ユニット
５３  スイッチ
５４  電池残量表示部材
５５  表示バー
６０  電池
６１  電源入力端子
７０  流速調整部材
７１  ボタン
８０  把持溝
９０  机の上
９１  ネイルマシン
【図１】
0003232600.tif 000003
【図２】
0003232600.tif 000004
【図３】
0003232600.tif 000005
【図４】
0003232600.tif 000006
【図５】
0003232600.tif 000007
【図６】
0003232600.tif 000008
【図７】
0003232600.tif 000009
【図８】
0003232600.tif 000010
【図９】
0003232600.tif 000011
【図１０】
0003232600.tif 000012
【図１１】
0003232600.tif 000013
【図１２】
0003232600.tif 000014